(57)【特許請求の範囲】
【請求項１】
エクササイズスタジオの雰囲気調整システムであって、
第１の砂状溶岩層、鉱物層、第２の砂状溶岩層及び溶岩板をこの順番で下から順に備えた積層構造と、前記第１の砂状溶岩層の下部に設けられたヒータと、前記第１の砂状溶岩層と前記鉱物層との間に設けられた給水管とを有する蒸気供給装置と、
前記給水管から排出される水の排出量、又は前記ヒータの温度の少なくともいずれかを制御して、前記第２の砂状溶岩層の温度を６０℃以上８０℃以下に調整可能な制御装置と、を有し、
前記蒸気供給装置は、スタジオ床部に設置され、前記給水管から前記第１の砂状溶岩層に水を排出し、当該水を前記ヒータにより蒸発させ、その蒸気を前記鉱物層を通過させ前記第２の砂状溶岩層に滞留させ、当該蒸気を前記溶岩板を通じてスタジオ内に排出させるよう構成されている、エクササイズスタジオの雰囲気調整システム。
【請求項２】
前記蒸気供給装置の前記溶岩板は、相対的に通気性の高い第１の溶岩板と、相対的に通気性の低い第２の溶岩板を有する、請求項１に記載のエクササイズスタジオの雰囲気調整システム。
【請求項３】
前記第１の溶岩板と前記第２の溶岩板がスタジオ床面に同程度の割合で配置されている、請求項２に記載のエクササイズスタジオの雰囲気調整システム。
【請求項４】
前記第２の砂状溶岩層は、前記第１の砂状溶岩層よりも厚く形成されている、請求項１〜３のいずれかに記載のエクササイズスタジオの雰囲気調整システム。
【請求項５】
前記第２の砂状溶岩層は、相対的に砂状溶岩の粒径が大きい下層と、相対的に砂状溶岩の粒径が小さい上層を有している、請求項１〜４のいずれかに記載のエクササイズスタジオの雰囲気調整システム。
【請求項６】
前記第２の砂状溶岩層は、５ｍｍ以上１５ｍｍ以下の厚みを有している、請求項１〜５のいずれかに記載のエクササイズスタジオの雰囲気調整システム。
【請求項７】
前記第１の砂状溶岩層は、相対的に砂状溶岩の粒径が小さい下層と、相対的に砂状溶岩の粒径が大きい上層を有している、請求項１〜６のいずれかに記載のエクササイズスタジオの雰囲気調整システム。
【請求項８】
前記第２の砂状溶岩層の厚みと前記溶岩板の厚みの比は、１対２以上１対４以下に設定されている、請求項１〜７のいずれかに記載のエクササイズスタジオの雰囲気調整システム。
【請求項９】
前記鉱物層には、クオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上の鉱物が含まれる、請求項１〜８のいずれかに記載のエクササイズスタジオの雰囲気調整システム。
【請求項１０】
前記給水管は、前記スタジオ床の面内に所定のパターンで配置され、前記ヒータは、前記給水管の真下に配置されている、請求項１〜９のいずれかに記載のエクササイズスタジオの雰囲気調整システム。
【請求項１１】
エクササイズスタジオの雰囲気調整方法であって、
第１の砂状溶岩層、鉱物層、第２の砂状溶岩層及び溶岩板をこの順番で下から順に備えた積層構造と、前記第１の砂状溶岩層の下部に設けられたヒータと、前記第１の砂状溶岩層と前記鉱物層との間に設けられた給水管とを有する蒸気供給装置をスタジオ床部に設置し、前記給水管から前記第１の砂状溶岩層に水を排出し、当該水を前記ヒータにより蒸発させ、その蒸気を前記鉱物層を通過させ前記第２の砂状溶岩層に滞留させ、当該蒸気を前記溶岩板を通じてスタジオ内に排出させてスタジオの雰囲気を調整し、その際に、前記給水管から排出される水の排出量又は前記ヒータの温度の少なくともいずれかを制御して、前記第２の砂状溶岩層の温度を６０℃以上８０℃以下にする、エクササイズスタジオの雰囲気調整方法。
【発明の詳細な説明】
【技術分野】
【０００１】
本発明は、エクササイズスタジオの雰囲気調整システム、及びエクササイズスタジオの雰囲気調整方法に関する。
【背景技術】
【０００２】
健康を維持増進するためのエクササイズスタジオには、ヨガスタジオ、ストレッチスタジオなどがある。これらのエクササイズスタジオの温度、湿度等の雰囲気の調整は、通常一般的な冷暖房設備により行われている。
【発明の概要】
【発明が解決しようとする課題】
【０００３】
ところで、本発明者らは、身体の深部を温めながらエクササイズを行うことで、エクササイズ効果を向上することを考えている。しかし、一般的な冷暖房設備では、身体を深部まで温めることは難しく、エクササイズ効果を十分に上げることができない。
【０００４】
そこで本発明者らは、遠赤外線を放射すると共に、ミネラル成分を含む蒸気をスタジオ内に供給する蒸気供給装置をスタジオの床部に設置することを考えている。すなわち、蒸気供給装置は、第１の砂状溶岩層、鉱物層、第２の砂状溶岩層及び溶岩板をこの順番で下から順に備えた積層構造と、第１の砂状溶岩層の下部に設けられたヒータと、第１の砂状溶岩層と鉱物層との間に設けられた給水管とを有するものであり、給水管から第１の砂状溶岩層に水を排出し、当該水を前記ヒータにより蒸発させ、その蒸気を鉱物層を通過させて第２の砂状溶岩層に滞留させ、当該蒸気を溶岩板を通じてスタジオ内に排出させるものである。
【０００５】
上記蒸気供給装置によれば、スタジオ内に、鉱物層を通ってミネラル成分を含んだ温かい蒸気が排出され、また溶岩層から遠赤外線が放射されてスタジオ内の雰囲気が調整されるので、身体を深部から温めながらエクササイズを行うことができる。
【０００６】
ところで、上記蒸気供給装置の上層に位置する第２の砂状溶岩層では、温度が下がり高温多湿になりやすいため、細菌が繁殖する可能性がある。そして、その第２の砂状溶岩層において細菌があると、細菌を含む蒸気がスタジオ内に排出される可能性もある。この場合、蒸気供給装置の第２の砂状溶岩層周辺の清掃、取り換え等のメンテナンスを頻繁に行う必要があり、コストがかかる。
【０００７】
本出願はかかる点に鑑みてなされたものであり、上述の蒸気供給装置を用いてスタジオの雰囲気を調整する際の第２の砂状溶岩層における細菌の繁殖を抑えることができるエクササイズスタジオの雰囲気調整システム及び雰囲気調整方法を提供することをその目的の一つとする。
【課題を解決するための手段】
【０００８】
本発明者らは、鋭意検討した結果、蒸気供給装置の第２の砂状溶岩層の温度を特定の温度範囲に調整することにより、第２の砂状溶岩層を滅菌して細菌の繁殖を抑えることができることを見出し、本発明を完成するに至った。
【０００９】
すなわち、本発明は以下の態様を含む。
（１）エクササイズスタジオの雰囲気調整システムであって、第１の砂状溶岩層、鉱物層、第２の砂状溶岩層及び溶岩板をこの順番で下から順に備えた積層構造と、前記第１の砂状溶岩層の下部に設けられたヒータと、前記第１の砂状溶岩層と前記鉱物層との間に設けられた給水管とを有する蒸気供給装置と、前記給水管から排出される水の排出量、又は前記ヒータの温度の少なくともいずれかを制御して、前記第２の砂状溶岩層の温度を６０℃以上８０℃以下に調整可能な制御装置と、を有し、前記蒸気供給装置は、スタジオ床部に設置され、前記給水管から前記第１の砂状溶岩層に水を排出し、当該水を前記ヒータにより蒸発させ、その蒸気を前記鉱物層を通過させ前記第２の砂状溶岩層に滞留させ、当該蒸気を前記溶岩板を通じてスタジオ内に排出させるよう構成されている、エクササイズスタジオの雰囲気調整システム。
（２）前記蒸気供給装置の前記溶岩板は、相対的に通気性の高い第１の溶岩板と、相対的に通気性の低い第２の溶岩板を有する、（１）に記載のエクササイズスタジオの雰囲気調整システム。
（３）前記第１の溶岩板と前記第２の溶岩板がスタジオ床面に同程度の割合で配置されている、（２）に記載のエクササイズスタジオの雰囲気調整システム。
（４）前記第２の砂状溶岩層は、前記第１の砂状溶岩層よりも厚く形成されている、（１）〜（３）のいずれかに記載のエクササイズスタジオの雰囲気調整システム。
（５）前記第２の砂状溶岩層は、相対的に砂状溶岩の粒径が大きい下層と、相対的に砂状溶岩の粒径が小さい上層を有している、（１）〜（４）のいずれかに記載のエクササイズスタジオの雰囲気調整システム。
（６）前記第２の砂状溶岩層は、５ｍｍ以上１５ｍｍ以下の厚みを有している、（１）〜（５）のいずれかに記載のエクササイズスタジオの雰囲気調整システム。
（７）前記第１の砂状溶岩層は、相対的に砂状溶岩の粒径が小さい下層と、相対的に砂状溶岩の粒径が大きい上層を有している、（１）〜（６）のいずれかに記載のエクササイズスタジオの雰囲気調整システム。
（８）前記第２の砂状溶岩層の厚みと前記溶岩板の厚みの比は、１対２以上１対４以下に設定されている、（１）〜（７）のいずれかに記載のエクササイズスタジオの雰囲気調整システム。
（９）前記鉱物層には、クオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上の鉱物が含まれる、（１）〜（８）のいずれかに記載のエクササイズスタジオの雰囲気調整システム。
（１０）前記給水管は、前記スタジオ床の面内に所定のパターンで配置され、前記ヒータは、前記給水管の真下に配置されている、（１）〜（９）のいずれかに記載のエクササイズスタジオの雰囲気調整システム。
（１１）エクササイズスタジオの雰囲気調整方法であって、第１の砂状溶岩層、鉱物層、第２の砂状溶岩層及び溶岩板をこの順番で下から順に備えた積層構造と、前記第１の砂状溶岩層の下部に設けられたヒータと、前記第１の砂状溶岩層と前記鉱物層との間に設けられた給水管とを有する蒸気供給装置をスタジオ床部に設置し、前記給水管から前記第１の砂状溶岩層に水を排出し、当該水を前記ヒータにより蒸発させ、その蒸気を前記鉱物層を通過させ前記第２の砂状溶岩層に滞留させ、当該蒸気を前記溶岩板を通じてスタジオ内に排出させてスタジオの雰囲気を調整し、その際に、前記給水管から排出される水の排出量又は前記ヒータの温度の少なくともいずれかを制御して、前記第２の砂状溶岩層の温度を６０℃以上８０℃以下にする、エクササイズスタジオの雰囲気調整方法。
【発明の効果】
【００１０】
本発明によれば、蒸気供給装置を用いてスタジオの雰囲気を調整する際の第２の砂状溶岩層における細菌の繁殖を抑えることができるので、メンテナンスの頻度を減らすことができコストを低減できる。
【図面の簡単な説明】
【００１１】
【図１】雰囲気調整システムの構成例を示す模式図である。
【図２】蒸気供給装置の積層構造の例を示す説明図である。
【図３】第１の砂状溶岩層を拡大した模式図である。
【図４】第２の砂状溶岩層を拡大した模式図である。
【図５】スタジオの床部の構造を示す模式図である。
【図６】給水管及びヒータの配置パターンを平面から見た説明図である。
【図７】雰囲気調整システムの他の構成例を示す模式図である。
【発明を実施するための形態】
【００１２】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１３】
図１は、本実施の形態にかかるエクササイズスタジオの雰囲気調整システム１の構成の概略を示す模式図である。図２は、雰囲気調整システム１に用いられる蒸気供給装置１０の構成例を示す模式図である。なお、本願明細書における「エクササイズスタジオ」には、運動を行うための総てのスタジオが含まれ、ヨガスタジオ、ストレッチスタジオ、ダンススタジオ、ピラティススタジオ、有酸素運動スタジオ、ダイエットスタジオ、瞑想・座禅スタジオなどが含まれる。
【００１４】
雰囲気調整システム１は、図１に示すように例えば蒸気供給装置１０と制御装置１１とを有している。
【００１５】
蒸気供給装置１０は、スタジオＡの床部に設置され、複数の層からなる積層構造２０と、ヒータ２１と、給水管２２を有している。
【００１６】
積層構造２０は、図２に示すように例えば下から順に第１の砂状溶岩層３０、鉱物層３１、第２の砂状溶岩層３２及び溶岩板３３を備えている。
【００１７】
第１の砂状溶岩層３０は、例えば溶岩石を細かく砕き、ふるいにかけて同程度の大きさに揃えたものである。第１の砂状溶岩層３０は、例えば１０ｍｍ以上３０ｍｍ以下、好ましくは２０ｍｍ程度の厚みを有している。第１の砂状溶岩層３０は、例えば図３に示すように相対的に砂状溶岩の粒径が小さい下層３０ａと、相対的に砂状溶岩の粒径が大きい上層３０ｂを有している。下層３０ａの粒径は、例えば２ｍｍ程度以下であり、上層３０ｂの粒径は、例えば５ｍｍ程度である。なお、下層３０ａと上層３０ｂは厳格に分かれている必要はなく、ヒータ２１上に粒径の小さい砂状溶岩を入れて下層３０ａを形成し、その後その下層３０ａの上に粒径の大きい砂状溶岩を入れて上層３０ｂを形成したものであってもよい。
【００１８】
図２に示す鉱物層３１は、例えば１種類以上の鉱石から構成されている。鉱物層３１には、例えばクオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上、好ましくは５種類以上の鉱石が含まれている。鉱物層３１の鉱石には、例えば３ｃｍ以上１０ｃｍ以下程度の大きさのものが用いられる。鉱物層３１は、例えば３０ｍｍ〜５０ｍｍ、好ましくは４０ｍｍ程度の厚みを有している。なお、この鉱物層３１には、鉱石以外のものが含まれていてもよい。
【００１９】
第２の砂状溶岩層３２は、例えば溶岩石を細かく砕き、ふるいにかけて同程度の大きさに揃えたものである。第２の砂状溶岩層３２は、例えば５ｍｍ以上１５ｍｍ以下、好ましくは１０ｍｍ程度の厚みを有している。第２の砂状溶岩層３２は、蒸気を滞留させるため、第１の砂状溶岩層２０よりも厚く形成されている。第２の砂状溶岩層３２は、例えば図４に示すように相対的に砂状溶岩の粒径が大きい下層３２ａと、相対的に砂状溶岩の粒径が小さい上層３２ｂを有している。下層３２ａの粒径は、例えば５ｍｍ程度であり、上層３２ｂの粒径は、例えば２ｍｍ以下程度である。
【００２０】
図１及び図２に示す溶岩板３３は、例えば２０ｍｍ以上４０ｍｍ以下、好ましくは３０ｍｍ程度の厚みを有している。第２の砂状溶岩層３２の厚みと溶岩板３３の厚みの比は、１対２以上１対４以下に設定されている。溶岩板３３は、例えば相対的に通気性の高い第１の溶岩板４０と、相対的に通気性の低い第２の溶岩板４１の２種類を有している。第１の溶岩板４０には、溶岩の地表の３層目から取り出した岩密度が高く空隙率が低いものが用いられている。第２の溶岩板４１には、溶岩の地表の２層目から取り出した岩密度が低く空隙率が高いものが用いられている。第１の溶岩板４０と第２の溶岩板４１は、例えば図５に示すようにそれぞれ同じ大きさの方形に加工されており、スタジオＡの床面５０に同程度の割合で敷設されている。第１の溶岩板４０と第２の溶岩板４１は、例えば交互に市松模様状に配置されている。
【００２１】
図１及び図２に示すヒータ２１は、第１の砂状溶岩層３０の下部に設けられている。ヒータ２１は、例えば５ｃｍ幅程度の線状に配置されていてもよいし、面状に配置されていてもよい。ヒータ２１は、給電により１００℃以上に発熱できる。給水管２２は、第１の砂状溶岩層３０と鉱物層３１との間に設けられ、図１に示す例えば水道などの給水源７２に通じている。
【００２２】
給水管２２は、例えば図６に示すようにスタジオＡの床面５０の面内において所定のパターン、例えば複数本の給水管２２が平行に並んだパターンに配置されている。図１及び図２に示すように給水管２２は、例えば直径１０ｍｍ程度の金属管からなり、当該管に沿って複数の給水穴２２ａが形成されている。給水穴２２ａは、例えば給水管２２の上半分の位置に上に向けて形成されている。
【００２３】
制御装置１１は、図１に示すように例えばヒータ２１への給電量を制御するヒータ制御部６０、給水管２２の給水量を制御可能なバルブ７０、バルブ７０の開放量又は開放時間を制御するバルブ制御部７１、ヒータ制御部６０やバルブ制御部７１の制御を行う全体制御部８０等から構成されている。全体制御部８０は、例えばコンピュータであり、例えばヒータ２１の温度設定値等を手動で入力可能な温度設定入力部８１と、給水管２２の給水量の設定値等を手動で入力可能な給水量設定入力部８２を有している。全体制御部８０は、例えば温度設定入力部８１に入力された温度設定値に基づいてヒータ制御部６０を制御し、ヒータ制御部６０によりヒータ２１の温度を制御できる。また全体制御部８０は、例えば給水量設定入力部８２に入力された給水量設定値に基づいてバルブ制御部７１を制御し、バルブ制御部７１によりバルブ７０の開放量又は開放時間を制御して給水管２２の給水量を制御できる。この結果、制御装置１１は、給水管２２から排出される水の排出量、又はヒータ２１の温度の少なくともいずれかを制御して、第２の砂状溶岩層３２の温度を６０℃以上８０℃以下に調整することができる。
【００２４】
以上の雰囲気調整システム１を稼働し、スタジオＡの雰囲気を調整する際には、制御装置１１において設定された流量（例えば２〜４ｃｌ／ｈ）の水が給水管２２内を流れ、蒸気供給装置１０における給水管２２の給水孔２２ａから排出される。また、制御装置１１において設定された温度（例えば１１０℃程度）にヒータ２１が制御される。蒸気供給装置１０では、給水管２２から第１の砂状溶岩層３０に水が排出され、当該水がヒータ２１により蒸発し、その蒸気が鉱物層３１を通って上昇する。このとき、鉱物層３１のミネラル成分が蒸気の水分子に付着する。鉱物層３１通過時の蒸気温度は、例えば４０℃〜７５℃程度が好ましい。鉱物層３１を通過した蒸気は第２の砂状溶岩層３２で滞留する。このとき、第２の砂状溶岩層３２には、蒸気と共に熱も蓄熱し、第２の砂状溶岩層３２の温度は、６０℃以上８０℃以下、好ましくは７０℃程度になる。そして、第２の砂状溶岩層３２の蒸気は、溶岩板３３（主に第１の溶岩板４０）を通ってスタジオＡに排出される。このときの蒸気により、床面５０となる溶岩板３３の表面の温度は４３℃〜４４℃程度になり、スタジオＡの湿度は、６０％〜７０％になり、スタジオＡの温度が３８℃〜４０℃程度となる。また、温められた溶岩層３０、３２及び溶岩板３３からはスタジオＡ内に遠赤外線が放射される。こうして、スタジオＡ内が、遠赤外線の放射と共に、ミネラル成分を含む蒸気雰囲気となり、スタジオＡが所定の温度及び湿度の所定の雰囲気に調整される。
【００２５】
本実施の形態によれば、蒸気供給装置１０により、スタジオＡ内に、鉱物層３１を通って例えばミネラル成分を含む蒸気が排出され、また第１の砂状溶岩層３０、第２の砂状溶岩層３２及び溶岩板３３から遠赤外線が放射されてスタジオＡ内の雰囲気が所定の温度及び湿度に調整されるので、身体を深部から温めながらエクササイズを行うことができる。よってエクササイズ効果を向上できる。また、制御装置１１により、給水管２２から排出される水の排出量、又はヒータ２１の温度の少なくともいずれかを制御して、第２の砂状溶岩層３２の温度を６０℃以上８０℃以下に調整できるので、第２の砂状溶岩層３２において滅菌が行われる。この結果、蒸気供給装置１０を用いてスタジオＡの雰囲気を調整する際の第２の砂状溶岩層３２における細菌の繁殖を抑制することができる。よって、スタジオ内に細菌のない蒸気を供給でき、蒸気供給装置１０のメンテナンスの回数を減らしてコストを低減できる。なお、第２の砂状溶岩層３２の温度が６０℃未満の場合には、細菌を十分に滅菌することができず、また第２の砂状溶岩層３２の温度が８０℃を超えた場合には、溶岩板３３の表面及びその周辺温度が上がりすぎてエクササイズスタジオには適さない。
【００２６】
蒸気供給装置１０の溶岩板３３は、相対的に通気性の高い第１の溶岩板４０と、相対的に通気性の低い第２の溶岩板４１を有するので、第２の砂状溶岩層３２において蒸気を適切に滞留させつつ、当該蒸気を溶岩板３３を通じて適切にスタジオＡに排出することもできる。
【００２７】
第１の溶岩板４０と第２の溶岩板４１がスタジオ床面５０に同程度の割合で配置されているので、第２の砂状溶岩層３２における蒸気の滞留と、溶岩板３３を通じた蒸気の排出をバランスよく行うことができる。この結果、第２の砂状溶岩層３２における６０℃以上８０℃以下の温度調整を適切に行うことができる。
【００２８】
第２の砂状溶岩層３２は、第１の砂状溶岩層３０よりも厚く形成されているので、蒸気の滞留容量と、蓄熱容量が多くなり、第２の砂状溶岩層３２の温度を６０℃以上８０℃以下に維持しやすくなる。
【００２９】
第２の砂状溶岩層３２は、５ｍｍ以上１５ｍｍ以下の厚みを有しているので、蒸気の適切な滞留容量と蓄熱容量を確保でき、第２の砂状溶岩層３２の温度を６０℃以上８０℃以下に維持しやすくなる。
【００３０】
第２の砂状溶岩層３２は、相対的に砂状溶岩の粒径が大きい下層３２ａと、相対的に砂状溶岩の粒径が小さい上層３２ｂを有しているので、下層３２ａで鉱物層３１との境界を維持しつつ、上層３２ｂ上に溶岩板３３を平坦に敷設することができる。
【００３１】
第１の砂状溶岩層３０は、相対的に砂状溶岩の粒径が小さい下層３０ａと、相対的に砂状溶岩の粒径が大きい上層３０ｂを有しているので、給水管２２の水を下層３０ａで十分拡散しつつ保持することができる。この結果、ヒータ２１により蒸気を床面全体で効率的かつ斑なく生じさせ、スタジオＡ内に供給できる。
【００３２】
第２の砂状溶岩層３２の厚みと溶岩板３３の厚みの比が、１対２以上１対４以下に設定されているので、第２の砂状溶岩層４１において６０℃以上８０℃以下に調整された蒸気の温度を溶岩板３３を通る間に十分に下げて、溶岩板３３の表面温度（床面温度）をエクササイズスタジオに適した温度に調整できる。
【００３３】
鉱物層３１には、クオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上の鉱物が含まれるので、蒸気にミネラル成分を付着させ、例えば人の発汗作用を促進し、エクササイズ効果をさらに上げることができる。
【００３４】
給水管２２は、スタジオ床面５０の面内に所定のパターンで配置され、ヒータ２１は、給水管２２の真下に配置されているので、給水管２２から排出された水を効率的に蒸発させることができる。
【００３５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３６】
例えば上記実施の形態における制御装置１１の構成はこれに限られず、他の構成を有するものであってもよい。例えば制御装置１１は、給水管２２の流量をバルブ７０によって調整していたが、ポンプによって調整してもよい。また、上記実施の形態では、ユーザが手動でヒータ２１の温度設定や給水管２２の流量設定を行っていたが、制御装置１１が、例えばスタジオＡの温度や湿度が所定の設定温度、設定湿度になるようにヒータ２１やバルブ７０を自動制御してもよい。かかる場合、例えば制御装置１１は、図７に示すようにスタジオＡに設置された温度センサ９０と湿度センサ９１をさらに有し、全体制御部８０が、その温度センサ９０と湿度センサ９１の検出値に基づいて、スタジオＡの温度及び湿度が予め設定しておいた設定温度及び設定湿度になるように、ヒータ２１の温度とバルブ７０の開放量又は開放時間をフィードバック制御してもよい。この場合、温度制御装置１１には、フィードバック制御を行うためのプログラムが記憶され、当該プログラムを実行することによってかかる制御を行ってもよい。
【００３７】
その他、スタジオＡの床面５０内における第１の溶岩板４０と第２の溶岩板４１の割合や、溶岩板３３の形状、大きさ、給水管２２やヒータ２１の設置パターン等はこれに限られない。また、蒸気供給装置１０の積層構造２０は、少なくとも上記層３０〜３３を有していればよく、他の層が加えられていてもよい。
【産業上の利用可能性】
【００３８】
本発明によれば、蒸気供給装置を用いてスタジオの雰囲気を調整する際の第２の砂状溶岩層における細菌の繁殖を抑えることができるスタジオ雰囲気調整システム及びスタジオ雰囲気調整方法を提供する際に有用である。
【符号の説明】
【００３９】
１  雰囲気調整システム
１０  蒸気供給装置
１１  制御装置
２０  積層構造
２１  ヒータ
２２  給水管
３０  第１の砂状溶岩層
３１  鉱物層
３２  第２の砂状溶岩層
３３  溶岩板
【要約】
【課題】蒸気供給装置を用いてスタジオの雰囲気を調整する際の第２の砂状溶岩層における細菌の繁殖を抑えることができるエクササイズスタジオの雰囲気調整システムを提供できる。
【解決手段】雰囲気調整システム１は、第１の砂状溶岩層３０、鉱物層３１、第２の砂状溶岩層３２及び溶岩板３３をこの順番で下から順に備えた積層構造２０と、第１の砂状溶岩層３０の下部に配置されたヒータ２１と、第１の砂状溶岩層３０と鉱物層３１との間に配置された給水管２２とを有する蒸気供給装置１０と、給水管２２から排出される水の排出量、又はヒータ２１の温度の少なくともいずれかを制御して、第２の砂状溶岩層３２の温度を６０℃以上８０℃以下に調整可能な制御装置１１と、を有する。
【選択図】図１【図１】
0005981007.tif 000002
【図２】
0005981007.tif 000003
【図３】
0005981007.tif 000004
【図４】
0005981007.tif 000005
【図５】
0005981007.tif 000006
【図６】
0005981007.tif 000007
【図７】
0005981007.tif 000008